(57)【特許請求の範囲】
【請求項１】
導体径が０．３２ｍｍのものを複数本撚り合わせて断面円形状に形成される内部導体と、
前記内部導体を被覆する軟化点が１１５℃の架橋ポリエチレンにより形成される内部絶縁体と、
金属箔にて形成される金属箔部とＰＥＴフィルムによって形成される樹脂フィルムにて形成される樹脂フィルム部とを貼り合わせて厚さ０．０２ｍｍのフィルム状の部材に形成され前記内部絶縁体の上に被覆される金属箔付きフィルムと、
極細の素線を編んでなる編組により筒状に形成され前記金属箔付きフィルムを覆い前記金属箔部に接するように設けられる外部導体と、
前記外部導体の上に被覆され絶縁性を有するポリエチレンを押出温度が２１０〜２３０℃で厚みが約０．３５ｍｍに被覆してなるシースと、
を備え、
前記金属箔付きフィルムは、樹脂フィルム部が前記内部絶縁体に接し前記金属箔部が前記外部導体に接するように配設されてなり、
前記内部絶縁体と前記金属箔付きフィルムの樹脂フィルム部との間にこれらを接着状態にする融着部を有し、
前記融着部は、押出成形される前記シースの熱が前記内部絶縁体に伝わり前記内部絶縁体と前記樹脂フィルム部とを接着して形成され、
前記融着部による前記絶縁体と前記フィルム部との密着力を、３５〜６０［Ｎ／５０ｍｍ］に形成する
ことを特徴とする同軸ケーブル。
【発明の詳細な説明】
【技術分野】
【０００１】
本発明は、絶縁体の外側に金属箔付きフィルムを有する同軸ケーブルに関する。
【背景技術】
【０００２】
下記特許文献１には、自動車や電子機器に用いられる同軸ケーブルの技術が開示されている。同軸ケーブルは、中心導体と、この中心導体を覆う絶縁体と、絶縁体を覆う金属樹脂複合テープと、この金属樹脂複合テープを覆う外部導体と、外部導体を覆うシースとを備えて構成されている。金属樹脂複合テープは、樹脂層と、この樹脂層の両面に設けられる金属層と、樹脂層及び金属層を固定する接着層とを有している。
【先行技術文献】
【特許文献】
【０００３】
【特許文献１】特開２００７−２６５７９７号公報
【発明の概要】
【発明が解決しようとする課題】
【０００４】
同軸ケーブルの端末にコネクタを設ける場合、先ず所定の長さでシースや絶縁体の除去作業を行い、次に中心導体とインナー端子と接続するとともに、外部導体とシールド端子とを接続する作業を行う。特許文献１の同軸ケーブルであれば、シールド部分として外部導体と金属樹脂複合テープとを有することから、これらの間にシールド端子の金属円筒状となるスリーブを挿入し、そして、外部導体の外側からリング部材を用いて加締めを施すことにより接続が完了する。
【０００５】
ところで、スリーブを外部導体と金属樹脂複合テープとの間に挿入するにあたり、金属樹脂複合テープが絶縁体から浮き上がった状態になっていると、この浮き上がった状態の部分にスリーブが引っ掛かり、所定位置までスリーブの挿入が行えないという問題点を有している。スリーブの挿入が確実に行えないと、この後の加締めを良好に施すことができないという問題点を有している。
【０００６】
そこで、金属樹脂複合テープを公知の糊にて絶縁体に固定する対策が考えられるが、糊の場合、金属樹脂複合テープと絶縁体との密着力が強くなり、この状態で同軸ケーブルに冷熱衝撃を加えると、冷熱衝撃により生じる絶縁体の収縮に金属樹脂複合テープが追従してしまうことになる。追従に伴って金属層が破断したり変形したりする虞があることから、減衰量が低下してしまうという問題点を有している。
【０００７】
本発明は、上記した事情に鑑みてなされたもので、スリーブの挿入性向上を図るとともに冷熱衝撃による減衰量の低下防止を図ることが可能な同軸ケーブルを提供することを課題とする。
【課題を解決するための手段】
【０００８】
上記課題を解決するためになされた請求項１記載の本発明の同軸ケーブルは、導体径が０．３２ｍｍのものを複数本撚り合わせて断面円形状に形成される内部導体と、
前記内部導体を被覆する軟化点が１１５℃の架橋ポリエチレンにより形成される内部絶縁体と、
金属箔にて形成される金属箔部とＰＥＴフィルムによって形成される樹脂フィルムにて形成される樹脂フィルム部とを貼り合わせて厚さ０．０２ｍｍのフィルム状の部材に形成され前記内部絶縁体の上に被覆される金属箔付きフィルムと、
極細の素線を編んでなる編組により筒状に形成され前記金属箔付きフィルムを覆い前記金属箔部に接するように設けられる外部導体と、
前記外部導体の上に被覆され絶縁性を有するポリエチレンを押出温度が２１０〜２３０℃で厚みが約０．３５ｍｍに被覆してなシースと、
を備え、
前記金属箔付きフィルムは、樹脂フィルム部が前記内部絶縁体に接し前記金属箔部が前記外部導体に接するように配設されてなり、
前記内部絶縁体と前記金属箔付きフィルムの樹脂フィルム部との間にこれらを接着状態にする融着部を有し、
前記融着部は、押出成形される前記シースの熱が前記内部絶縁体に伝わり前記内部絶縁体と前記樹脂フィルム部とを接着して形成され、
前記融着部による前記絶縁体と前記フィルム部との密着力を、３５〜６０［Ｎ／５０ｍｍ］に形成することを特徴とする。
【００１０】
以上のような特徴を有する本発明によれば、融着部により金属箔付きフィルムは絶縁体に略密着する。融着部は、強すぎず、また、弱すぎずに金属箔付きフィルムと絶縁体とを密着させる。
【発明の効果】
【００１１】
請求項１に記載された本発明によれば、融着部を形成して絶縁体と金属箔付きフィルムとを略密着状態にすることから、絶縁体からの金属箔付きフィルムの浮き上がりを防止することができる。従って、スリーブの挿入性向上を図ることができるという効果を奏する。また、本発明によれば、絶縁体の軟化点よりも高い温度でシースを押出成形し、そして、この成形に係る熱を絶縁体に伝えて融着により融着部を形成することから、金属箔付きフィルムと絶縁体とを強すぎず、また、弱すぎずに密着させることができる。従って、冷熱衝撃により生じる絶縁体の収縮に金属箔付きフィルムが追従することはなく、結果、破断や変形をなくして減衰量低下の防止を図ることができるという効果を奏する。
さらに、本発明によれば、より良い同軸ケーブルとなる材質や押出温度を提供することができるという効果を奏する。
【図面の簡単な説明】
【００１３】
【図１】本発明に係る同軸ケーブルの断面図である。
【発明を実施するための形態】
【００１４】
同軸ケーブルは、中心の導体を被覆する絶縁体と、この絶縁体を覆う金属箔付きフィルムとの間に、これらを融着により略密着状態にする部分を形成してなる。融着により略密着状態にする部分は、絶縁体の軟化点よりも高い温度で押し出されるシースの熱を絶縁体に伝えることにより形成される。
【実施例】
【００１５】
以下、図面を参照しながら実施例を説明する。図１は本発明に係る同軸ケーブルの断面図である。
【００１６】
図１において、本発明に係る同軸ケーブル１は、特に限定するものでないが、車載用のケーブルとして好適であって、端末に同軸コネクタ（図示省略）が設けられている。同軸ケーブル１は、内部導体２（導体）と、内部絶縁体３（絶縁体）と、金属箔付きフィルム４と、外部導体５と、シース６とを備えて構成されている。また、同軸ケーブル１は、内部絶縁体３と金属箔付きフィルム４との間に融着部７を有している。
【００１７】
内部導体２は、同軸ケーブル１の中心の導体であって、複数の素線を撚り合わせてなる軟銅撚り線が用いられている。内部導体２は、導電性を有しており、断面円形状に形成されている。内部導体２は、同軸ケーブル１の端末において、図示しない同軸コネクタのインナー端子が接続されるようになっている。内部導体２は、本実施例において、導体径が０．３２ｍｍ、７本撚りのものが用いられている。
【００１８】
内部絶縁体３は、絶縁性を有しており、均一な厚みで内部導体２を覆うように設けられている。内部絶縁体３は、本実施例において、架橋ポリエチレンにより形成されている。架橋ポリエチレンの軟化点は、約１１５℃であるものとする。内部絶縁体３は、本実施例において、この厚みが約０．８６ｍｍとなるように形成されている。
【００１９】
金属箔付きフィルム４は、内部絶縁体３を覆うように設けられている。金属箔付きフィルム４は、金属箔部８と樹脂フィルム部９（フィルム部）とを有するフィルム状の部材に形成されている。金属箔付きフィルム４は、内部絶縁体３に対し縦添えにて設けられている（縦添えは一例であるものとする）。金属箔部８は、金属箔にて形成されている。金属箔としては、銅箔が挙げられるものとする（アルミ箔や鉄箔など用途に合わせて選定することが可能であるものとする）。樹脂フィルム部９は、樹脂フィルムにて形成されている。樹脂フィルムとしては、ＰＥＴフィルムが挙げられるものとする。
【００２０】
金属箔部８は、樹脂フィルム部９の一方の面に対し蒸着や接着等の公知の方法にて一体化されている。金属箔付きフィルム４は、樹脂フィルム部９の他方の面が内部絶縁体３側となるように配設されている。金属箔付きフィルム４は、本実施例において、この厚みが約０．０２ｍｍとなるように形成されている。
【００２１】
金属箔付きフィルム４は、融着部７により内部絶縁体３から浮き上がらないようになっている。具体的には、融着部７により略密着状態になっている。融着部７に関しては後述する。
【００２２】
外部導体５は、金属箔付きフィルム４を覆うように設けられている。外部導体５は、極細の素線を編んでなる編組（軟銅線編組）により筒状に形成されている。外部導体５は、導電性を有しており、金属箔付きフィルム４の金属箔部８に接するように配設されている。外部導体５と金属箔部８は、シールド部材としての機能を有している。外部導体５と金属箔部８は、同軸ケーブル１の端末において、図示しない同軸コネクタのシールド端子が接続されるようになっている。シールド端子の接続に関しては、外部導体５と金属箔部８との間にシールド端子の金属円筒状となるスリーブ（図示省略）を挿入し、この後、外部導体５の外側からリング部材（図示省略）を用いて加締めを施すことにより接続が完了するようになっている。
【００２３】
シース６は、絶縁性を有しており、均一な厚みで外部導体５を覆うように設けられている。シース６は、本実施例において、ポリエチレンの押出により成形されている。シース６は、公知の押出成形機により内部絶縁体３の軟化点（上記の約１１５℃）よりも高い温度で押し出されるようになっている。シース６は、押出温度が２１０〜２３０℃となるように制御された上で成形されている。押出温度２１０〜２３０℃は、後述する密着力を確保する有効な温度となっている。シース６は、本実施例において、この厚みが約０．３５ｍｍとなるように形成されている。
【００２４】
同軸ケーブル１は、シース６の押出成形に係る熱１０が内部絶縁体３に伝わると、内部絶縁体３と金属箔付きフィルム４の樹脂フィルム部９との間に融着部７が形成されるようになっている。尚、熱１０は成形後の余熱も含んでいる。
【００２５】
融着部７は、内部絶縁体３と金属箔付きフィルム４の樹脂フィルム部９との間に形成されて、これらを略密着状態にする部分となっている。融着部７は、シース６の押出成形に係る熱１０が内部絶縁体３に伝わり、そして、内部絶縁体３に軟化・膨張が生じて内部絶縁体３と樹脂フィルム部９とが融着することにより形成される部分となっている。
【００２６】
融着部７は、内部絶縁体３と樹脂フィルム部９とを略密着状態に形成することができるようになっている。金属箔付きフィルム４は、融着部７により内部絶縁体３から浮き上がらないようになっている。金属箔付きフィルム４の浮き上がりがなければ、上記図示しないスリーブの挿入が容易且つスムーズになるのは勿論である。
【００２７】
融着部７は、内部絶縁体３と樹脂フィルム部９との密着力が３５〜６０［Ｎ／５０ｍｍ］となるように形成されている。この密着力を得るには、シース６の押出温度が２１０〜２３０℃となるように制御されることが有効である。融着部７は、この密着力が３５〜６０［Ｎ／５０ｍｍ］に制御されることにより、上記の浮き上がりが防止できる他に、冷熱衝撃により生じる内部絶縁体３の収縮に対し金属箔付きフィルム４の追従を阻止することもできるようになる。
【００２８】
以下、表１及び図１を参照しながら融着部７に関する評価について説明をする。
【００２９】
融着部７に関し、シース６の押出温度を１８０℃、２１０℃、２２０℃、２３０℃、２５０℃に制御して、各押出温度での密着力を測定するとともに、貼り付き状態、減衰量、スリーブ挿入性を「○」「×」にて評価をする。
【００３０】
上記密着力は、金属箔付きフィルム４と内部絶縁体３との間の密着力を、長さ５０ｍｍの試料で測定し、これを数値で表したものである。単位は［Ｎ／５０ｍｍ］である。上記貼り付き状態は、金属箔付きフィルム４と内部絶縁体３との貼り付き状態を評価したものであり、貼り付き状態が良好であれば、すなわち浮き上がりが生じてなければ「○」の評価をする。一方、貼り付き状態が悪ければ、すなわち浮き上がりが生じていれば「×」の評価をする。
【００３１】
上記減衰量は、冷熱衝撃試験後の減衰量を評価したものであり、減衰量の低下がない良好な結果であれば「○」の評価をする。一方、規定以上の減衰量の低下がある悪い結果であれば「×」の評価をする。冷熱衝撃試験は、１０５℃の恒温槽に試料を３０分入れるとともに、取り出し直後に−４０℃の恒温槽に３０分入れることを１サイクルとし、これを１０００サイクル行う試験であるものとする。
【００３２】
上記スリーブ挿入性は、金属箔付きフィルム４と内部絶縁体３との間に挿入するスリーブの挿入性を評価したものであり、スリーブの挿入が容易且つスムーズであれば「○」の評価をする。一方、引っ掛かりがあるようであれば「×」の評価をする。
【００３３】
【表１】
0005855850.tif 000002
【００３４】
シース６の押出温度を２１０℃に制御した場合、密着力は３５［Ｎ／５０ｍｍ］である。この時の貼り付き状態は良好で「○」の評価である。また、減衰量はこの低下のない良好な「○」の評価である。また、スリーブの挿入性は容易且つスムーズで良好な「○」の評価である。
【００３５】
シース６の押出温度を２２０℃に制御した場合、密着力は４０［Ｎ／５０ｍｍ］である。この時の貼り付き状態は良好で「○」の評価である。また、減衰量はこの低下のない良好な「○」の評価である。また、スリーブの挿入性は容易且つスムーズで良好な「○」の評価である。
【００３６】
シース６の押出温度を２３０℃に制御した場合、密着力は６０［Ｎ／５０ｍｍ］である。この時の貼り付き状態は良好で「○」の評価である。また、減衰量はこの低下のない良好な「○」の評価である。また、スリーブの挿入性は容易且つスムーズで良好な「○」の評価である。
【００３７】
しかしながら、シース６の押出温度を１８０℃に制御した場合、密着力は１５［Ｎ／５０ｍｍ］である。この時の貼り付き状態は悪く「×」の評価である。また、スリーブの挿入性は引っ掛かりがあって悪く「×」の評価である。尚、減衰量に関してはこの低下のない良好な「○」の評価である。
【００３８】
シース６の押出温度を２５０℃に制御した場合、密着力は１２０［Ｎ／５０ｍｍ］である。この時の減衰量は低下が生じて悪く「×」の評価である。尚、貼り付き状態は良好で「○」の評価である。また、スリーブの挿入性は容易且つスムーズで良好な「○」の評価である。
【００３９】
以上の評価から、シース６の押出温度を２１０〜２３０℃となるように制御するとともに、密着力を３５〜６０［Ｎ／５０ｍｍ］に制御することが有効であると言える。
【００４０】
本発明に係る同軸ケーブル１によれば、融着部７を形成して絶縁体３と金属箔付きフィルム４とを略密着状態にすることから、絶縁体３からの金属箔付きフィルム４の浮き上がりを防止することができる。従って、スリーブの挿入性向上を図ることができるという効果を奏する。
【００４１】
また、本発明に係る同軸ケーブル１によれば、絶縁体３の軟化点よりも高い温度でシース６を押出成形し、そして、この成形に係る熱１０を絶縁体３に伝えて融着により融着部７を形成することから、絶縁体３と金属箔付きフィルム４とを強すぎず、また、弱すぎずに密着させることができる。従って、冷熱衝撃により生じる絶縁体３の収縮に金属箔付きフィルム４が追従することはなく、結果、破断や変形をなくして減衰量低下の防止を図ることができるという効果を奏する。
【００４２】
本発明は本発明の主旨を変えない範囲で種々変更実施可能なことは勿論である。
【符号の説明】
【００４３】
１…同軸ケーブル
２…内部導体（導体）
３…内部絶縁体（絶縁体）
４…金属箔付きフィルム
５…外部導体
６…シース
７…融着部
８…金属箔部
９…樹脂フィルム部（フィルム部）
１０…熱
【図１】
0005855850.tif 000003